(57)【要約】【課題】本発明は、ファンからその他の部品に伝達される振動を抑制することができるファン固定装置を提供することを目的とする。【解決手段】本発明に係るファン固定装置はファンを固定することに用いられ、電子装置内に固定される固定板と、前記ファンを収納するフレームと、複数の固定ピンと、を備え、前記固定板には、少なくとも１つの通風孔が設けられ、前記通風孔の両側には、前記固定板に対して垂直に延伸する係止部がそれぞれ設けられ、該両側の係止部は、Ｌ字状を呈し、且つ互いに対向し、前記フレームの両側には固定片がそれぞれ設置され、前記固定片の底面には少なくとも１つの振動緩衝部材が其々設置され、前記フレームは前記両側の係止部の間に配置され、前記振動緩衝部材は、対応する前記係止部に当接され、前記フレームは前記固定板に係合され、前記固定ピンによって、前記固定片及び対応する前記振動緩衝部材が前記係止部に其々固定される。【選択図】図３
2013084893.tif 000002
【特許請求の範囲】
【請求項１】
ファンを固定することに用いられるファン固定装置であって、
電子装置内に固定される固定板と、
前記ファンを収納するフレームと、
複数の固定ピンと、を備え
前記固定板には少なくとも１つの通風孔が設けられ、前記通風孔の両側には、前記固定板に対して垂直に延伸する係止部がそれぞれ設けられ、該両側の係止部は、Ｌ字状を呈し、且つ互いに対向し、前記フレームの両側には固定片がそれぞれ設置され、前記固定片の底面には少なくとも１つの振動緩衝部材が其々設置され、前記フレームは前記両側の係止部の間に配置され、前記振動緩衝部材は、対応する前記係止部に当接され、前記フレームは前記固定板に係合され、前記固定ピンによって、前記固定片及び対応する振動緩衝部材が前記係止部に其々固定されることを特徴とするファン固定装置。
【請求項２】
前記固定ピンは前記固定片と対応する振動緩衝部材を貫通し且つ対応する係止部に係合される軸部と、前記固定片の上面に係止される頭部と、を備えることを特徴とする請求項１に記載のファン固定装置。
【請求項３】
前記ファンは対向する２つの端壁を備え、前記フレームは前記ファンの１つの端壁に固定される第一固定部材と、もう１つの端壁に固定される第二固定部材と、を備えることを特徴とする請求項１又は２に記載のファン固定装置。
【請求項４】
前記第一固定部材は、ボードと、前記ボードに対して垂直に、且つ前記ボードの両側にそれぞれ設置された側板と、を備え、前記固定片は、前記両側の側板の各底辺から互いに離れる方向に向かって前記側板に対して垂直に延伸することを特徴とする請求項３に記載のファン固定装置。
【請求項５】
前記固定板には、前記通風孔の上方に、突出部が配設され、前記第二固定部材は、ボードと前記ボードの上端に設置されるＬ字状の当止部とを備え、前記当止部は、前記ファンの上面に当接される第一部分と前記第一部分から上方へ向かって垂直に延伸する第二部分とを備え、前記第一部分と前記第二部分との間には、屈曲部が形成されており、該屈曲部の長手方向の中央部には、前記第一部分から延伸して形成された突起部が突設され、前記フレームが前記係止部の間に配置され、前記振動緩衝部材が対応する前記係止部に当接される際、前記突起部は、前記突出部の底面に係止されることを特徴とする請求項３又は請求項４に記載のファン固定装置。
【請求項６】
前記振動緩衝部材は、弾性材料からなることを特徴とする請求項１から５の何れか一項に記載のファン固定装置。
【発明の詳細な説明】
【技術分野】
【０００１】
本発明は、ファン固定装置に関するものである。
【背景技術】
【０００２】
従来の電子装置のファンにおいて、ユーザーは、ネジ等でファンを固定板に固定してから、前記固定板を電子装置のケーシング内に固定するのが一般的である。しかし、このような固定方法では、当該ファンの振動が、前記固定板を通じて前記ケーシング内に収容された電子装置のその他の部品にも伝達するため、前記ファンの駆動に連動して前記部品を振動させてしまう問題がある。また、ファンの振動が激しい場合、大きな騒音が生じるだけでなく、ヘッドでデータ処理を行うハードディスクなどの電子素子にまでも大きな影響を与える虞がある。
【発明の概要】
【発明が解決しようとする課題】
【０００３】
本発明の目的は、前記課題を解決し、ファンからその他の部品に伝達される振動を抑制することができるファン固定装置を提供することである。
【課題を解決するための手段】
【０００４】
上記目的を達成するために、本発明に係るファン固定装置は、電子装置内に固定される１つの固定板と、ファンを収納する１つのフレームと、複数の固定ピンと、を備え、前記固定板には少なくとも１つの通風孔が設けられ、前記通風孔の両側には、前記固定板に対して垂直に延伸する係止部がそれぞれ設けられ、該両側の係止部は、Ｌ字状を呈し、且つ互いに対向し、前記フレームの両側には固定片がそれぞれ設置され、前記固定片の底面には、少なくとも１つの振動緩衝部材が其々設置され、前記フレームは、前記係止部の間に配置され、前記振動緩衝部材は、対応する前記係止部に当接され、前記フレームは前記固定板に係合され、前記固定ピンによって、前記固定片及び対応する前記振動緩衝部材が前記係止部に其々固定される。
【発明の効果】
【０００５】
本発明に係るファン固定装置は、ファンを収納するフレームの固定片と固定板の係止部との間に、振動緩衝部材を設置するので、前記ファンから伝達される振動を吸収し、係止部に伝達される振動を低減させることができる。
【図面の簡単な説明】
【０００６】
【図１】本発明の実施形態に係るファン固定装置とファンとの分解斜視図である。
【図２】図１に示すファン固定装置の第二固定部材の別の方向からの斜視図である。
【図３】図１に示すファン固定装置の一部の組立斜視図である。
【図４】図２に示すファン固定装置の組立斜視図である。
【発明を実施するための形態】
【０００７】
本発明の実施形態に係るファン固定装置は、ファン１０を電子装置内に設置固定するのに使用される。図１〜図４に示したように、前記ファン固定装置は、電子装置のケーシングの底板７０と、前記底板７０上に前記底板７０に対して垂直に固定された固定板２０と、１つのフレーム３０と、４つの固定ピン６０と、４つの振動緩衝部材４０と、を備える。
【０００８】
前記ファン１０の外観形状は略正方形を呈し、且つ互いに対向する２つの端壁１２を備え、該２つの端壁１２の四隅には固定孔１２０がそれぞれ設けられている。
【０００９】
前記固定板２０上には少なくとも１つの通風孔２４が設けられ、該１つの通風孔２４の上方には少なくとも１つの突出部２６が配設されている。前記突出部２６の底面は、前記底板７０の方向へ傾斜した傾斜面で形成されている。前記少なくとも１つの通風孔２４の両側には、２つのＬ字状を呈する係止部２８が互いに対向して設置されている。前記２つの係止部２８はそれぞれ、前記固定板２０及び前記底板７０に対して垂直に配置されていると共に前記固定板２０から延伸する起立部２８０と、前記起立部２８０の上端から該起立部２８０に対して垂直に、且つ内側に延伸する延伸部２８２と、を備える。前記２つの係止部２８の各々の前記延伸部２８２には、両側辺に、２つの貫通口２８４がそれぞれ設けられている。
【００１０】
前記フレーム３０は、第一固定部材３２と、第二固定部材３４と、を備える。前記第一固定部材３２は、１つのボード３２０と、前記ボード３２０に対して垂直に、且つ前記ボード３２０の両側の側辺の上部に設置された２つの側板３２２と、を備える。前記２つの側板３２２の各々の底辺からは、固定片３２４が該側板３２２に垂直に、且つ互いに離れる方向に向かってそれぞれ延伸している。各々の前記固定片３２４には、２つの固定孔３２６がそれぞれ設けられている。前記第二固定部材３４は、１つのボード３４１及び前記ボード３４１の上端に設置されたＬ字状の当止部３４０を備える。前記当止部３４０は、前記ボード３４１から垂直に延伸する第一部分３４４と、前記第一部分３４４から上方へ向かって該第一部分３４４に対して垂直に延伸する第二部分３４６と、を備える。
【００１１】
また、図２を参照すると、前記第一部分３４４と前記ボード３４１の間には、略アーチ状に折れ曲がった屈曲部が形成されており、該屈曲部の長手方向の中央部には、前記第一部分３４４から延伸して形成された１つの突起部３４２が設けられている。前記突起部３４２の底面は、前記ボード３４１の方向へ向かって下向きに傾斜した傾斜面で形成されている。
【００１２】
前記第一固定部材３２の前記ボード３２０及び前記第二固定部材３４の前記ボード３４１は、各々の中心部に１つの通風孔３０２が設けられている。また、前記ボード３２０及び前記ボード３４１の四隅には、係合孔３００が其々設けられている。
【００１３】
前記４つの振動緩衝部材４０は、ゴムなどの弾性材料からなり、且つ円盤状を呈しており、その中心部には、１つの貫通孔４２がそれぞれ設けられている。
【００１４】
前記４つの固定ピン６０は、１つの頭部６２と前記頭部６２の底面に突設された１つの軸部６４と、をそれぞれ備える。
【００１５】
図３に示したように、本発明のファン固定装置を組立てる際、先ず、前記第一固定部材３２と前記第二固定部材３４を前記ファン１０の両端にそれぞれ配置し、前記第一固定部材３２の前記ボード３２０及び前記第二固定部材３４の前記ボード３４１を前記ファンの２つの端壁１２に其々当接させ、前記第一固定部材３２の前記２つの側板３２２を前記ファン１０の両側面に当接させ、前記第二固定部材３４の前記当止部３４０の前記第一部分３４４を前記ファン１０の上面に当接させる。次いで、複数の螺子５０を、前記ボード３２０及び前記ボード３４１の各々の係合孔３００を貫通させ、それぞれ対応する前記ファン１０の前記固定孔１２０に係合させることで、前記ファン１０を前記フレーム３０内に固定する。
【００１６】
次いで、前記４つの振動緩衝部材４０を２つの前記固定片３２４の下方に配置すると共に、前記固定ピン６０の軸部６４を、前記フレーム３０の２つの前記固定片３２４の計４つの前記固定孔３２６及び計４つの前記振動緩衝部材４０の各貫通孔４２にそれぞれ貫通させると共に締め込み、固定ピン６０と振動緩衝部材４０とを互いに緊密に固定する。これにより、前記振動緩衝部材４０を、対応する前記固定片３２４の底面にそれぞれ固定することができる。この時、前記固定ピン６０の頭部６２は、対応する前記固定片３２４の上面に係止される。次いで、前記フレーム３０内に固定された前記ファン１０を前記フレーム３０と共に、前記固定板３０の前記２つの係止部２８の間に設置する。固定孔３２６及び貫通孔４２を貫通した前記固定ピン６０の軸部６４は、前記係止部２８の対応する前記２つの貫通口２８４に其々係合される。その後、前記第二固定部材３４の前記突起部３４２が、前記固定板２０の前記突出部２６を上方から押圧すると、前記突出部２６の反作用の力により、前記ボード３４１の上部は固定板２０から離れる方向へ徐々に弾性変形する。次いで、前記突起部３４２の上面が前記突出部２６の底面と同じ平面上までくると、前記ボード３４１は弾性復帰し、前記突起部３４２は前記突出部２６の底面に係止される。この時、前記フレーム３０の底部は前記底板７０に当接される。各々の振動緩衝部材４０は、対応する前記固定片３２４と前記係止部２８の前記延伸部２８２との間に挟まることで、前記ファン１０から伝達される振動を吸収し、係止部２８に伝達される振動を低減させることができる。
【００１７】
また、前記ファン１０を取り外す際、先ず前記４つの固定ピン６０を取り外した後、前記第二固定部材３４の前記第二部分３４６を、前記固定板２０から離れる方向へ移動させると、前記突起部３４２は、前記固定板２０の前記突出部２６から解放されて、前記フレーム３０を前記係止部２８の間から取り出すことができる。その後、前記複数の螺子５０を取り外せば、前記ファン１０を前記フレーム３０から取り外すことができる。
【符号の説明】
【００１８】
１０  ファン
１２  端壁
１２０  固定孔
２０  固定板
２４、３０２  通風孔
２６  突出部
２８  係止部
２８０  起立部
２８２  延伸部
２８４  貫通口
３０  フレーム
３２  第一固定部材
３４  第二固定部材
３００  係合孔 
３２０、３４１  ボード
３２２  側板
３２４  固定片
３２６  固定孔
３４０  当止部
３４２  突起部
３４４  第一部分
３４６  第二部分
４０  振動緩衝部材
４２  貫通孔
５０  螺子
６０  固定ピン
６２  頭部
６４  軸部
７０  底板
【図１】
2013084893.tif 000003
【図２】
2013084893.tif 000004
【図３】
2013084893.tif 000005
【図４】
2013084893.tif 000006